(57)【要約】患者体温制御システムにおいて使用可能なコネクタ装置（１４）は、システムの少なくとも１つの他のコネクタに接続するのに使用可能である接続端部（１１２）を含む。接続端部（１１２）において、コネクタを位置合わせし、所定の配向においてのみにおける相互接続を可能にするように構成される配向装置（１０８）を含むことが可能である。コネクタは、雄型または雌型のコネクタとして構成されることが可能であり、他のコネクタと係合するための１つまたは複数の係合装置あるいは表面（６３）を含む。
2005535386.tif 000002
【特許請求の範囲】
【請求項１】
医療用流体を処理する医療用流体処理装置を含む患者体温制御システムにおいて使用されるコネクタであって、
内部に形成された複数の流体チャネルを含み、該医療用流体処理装置および該医療用流体が通って循環することが可能である患者体温制御パッドの少なくとも一方に相互接続されるか又は相互接続可能な本体部分と、
該患者体温制御システムにおいて使用可能な少なくとも１つの他のコネクタと相互接続されるように構成され、所定の方向に沿って該システムを通って該医療用流体が循環するのを可能にする配向において、コネクタと該少なくとも１つの他のコネクタとの相互接続を可能にするように構成される少なくとも１つの配向装置をさらに含む、相互接続端部とを備えるコネクタ。
【請求項２】
コネクタが雌型コネクタとして構成され、相互接続端部が受取り端部として構成され、該受取り端部が、該受取り端部の一部を通って延びる回転可能な係合装置をさらに含み、該回転可能な係合装置が、雄型コネクタの一部内を通過し、該回転可能な係合装置の回転時に該雄型コネクタと機械的に係合して保持し、さらなる回転時に該雄型コネクタから脱係合するように構成される、請求項１に記載のコネクタ装置。
【請求項３】
前記受取り端部が、開口および流体経路が内部に配置可能である空洞を囲む壁構造からなり、前記回転可能な係合装置が、該壁構造の対向壁を通って延びる少なくとも１つのシャフト状部材を含む、請求項２に記載のコネクタ。
【請求項４】
前記シャフト状部材が、前記空洞の外部に配置可能な操作アームにさらに接続され、該操作が前記シャフト状部材を所望の回転配向まで回転させるのに使用可能である、請求項３に記載のコネクタ。
【請求項５】
前記空洞が前記雄型コネクタの外部断面形状とほぼ同様の内部断面形状を含むようにさらに構成され、前記回転係合装置が前記所定の配向においてのみ前記受取り端部における前記雄型コネクタの挿入を可能にするように配置される、請求項３に記載の装置。
【請求項６】
前記少なくとも１つのシャフト状部材が半円断面を含む、請求項３に記載のコネクタ。
【請求項７】
複数の流体チャネルを有する本体部分と、
該本体において構成され、該流体チャネルへの開口を含み、雌型コネクタ端部で流体封止され、それにより挿入時に、雄型コネクタおよび該雌型コネクタを通る複数の封止流体経路を確立するようにさらに構成される挿入端部と、
回転可能な係合装置を受けるように構成され、該装置の回転時に、雄型コネクタおよび該雌型コネクタが機械的に係合するようにさらに構成される、雄型コネクタに組み込まれる少なくとも１つの係合部分とからなる、患者体温制御システムにおいて使用される雄型機械コネクタ・アセンブリ。
【請求項８】
前記係合部分が、前記挿入端部において構成されるスロットからなり、該スロットにより、前記回転可能な係合装置の一部が、第１回転配向において該スロット内を通過し、第２回転配向において前記回転可能な係合装置の該一部と係合し、保持することが可能になる、請求項７に記載のアセンブリ。
【請求項９】
前記係合部分が、前記挿入端部が所定の配向においてのみ前記雌型コネクタに挿入可能であるように配置される、請求項７に記載のアセンブリ。
【請求項１０】
前記回転可能な係合装置が半円断面を有して構成されるシャフト状部材であり、前記スロットが円筒セクションおよび直線セクションを含み、該シャフト状部材が第１配向において該直線セクションを通って該円筒セクションの中に進行し、該円筒セクションと係合するように第２配向まで回転可能である、請求項８に記載のアセンブリ。
【請求項１１】
複数の流体通路を有する１部品ホース・セクションからさらになり、該ホース・セクションが、前記挿入端部に対向する端部において前記雄型コネクタに接続可能である、請求項９に記載のアセンブリ。
【請求項１２】
前記本体部分への接続に対向する端部において、前記ホース・セクションに接続可能である中間コネクタ装置をさらに含む、請求項１０に記載のアセンブリ。
【請求項１３】
前記中間コネクタ装置が、雄型コネクタを含む１つまたは複数のホース・セクションと相互接続されるように構成される中間雌型コネクタ装置からなる、請求項１２に記載のアセンブリ。
【請求項１４】
前記１つまたは複数のホース・アセンブリが、流体が少なくとも１つの患者体温制御パッドに循環することを可能にする、請求項１３に記載のアセンブリ。
【請求項１５】
患者体温制御システムにおいて使用される雄型中間コネクタ装置であって、
複数の流体チャネルを含んで構成され、該流体チャネルへの開口を有する挿入端部をさらに含み、該挿入端部が、雌型コネクタに挿入可能であり、それにより、雌型コネクタの一部と係合して、該雌型コネクタによる該チャネルのそれぞれの流体封止流れ経路を提供するように構成される、本体部分からなり、
前記本体部分が、所定の配向において、該雄型コネクタおよび該雌型コネクタの挿入および係合のために構成される外部部分をさらに含む、雄型中間コネクタ装置。
【請求項１６】
前記本体部分の外表面上において構成可能である係合装置をさらに含み、挿入端部が前記雌型コネクタの受取り部分に挿入されるとき、前記係合装置が、前記雌型コネクタの係合部分と係合および脱係合するように操作可能である、請求項１５に記載の装置。
【請求項１７】
前記係合装置が片手操作により前記雌型コネクタの前記係合部分と係合および脱係合するように構成される、請求項１６に記載の装置。
【請求項１８】
前記係合装置が、
前記本体部分からほぼ垂直に延びる少なくとも１つの湾曲アームと、
ラッチ・アームに対してほぼ垂直に前記本体から離れて該少なくとも１つの湾曲アームの端部に配置可能であり、第１端部の上に構成される押下げ部分、および該第１端部に対向する第２端部の上に構成される係合部分を含む、ラッチ・アームからなり、
該湾曲アームが、力を該第１端部に加えることにより、該第２端部および該湾曲アームを該湾曲アームおよび前記本体の接続点の回りに回転させ、該力を取り除くことにより、該湾曲アームおよび外ラッチ・アームが元の位置に戻る、請求項１６に記載の装置。
【請求項１９】
前記係合部分が、少なくとも１つのかみ合いリップとして構成され、それにより、前記係合部分が前記雌型コネクタ上の回転かみ合い表面と係合するとき、係合構造が横方向運動に抵抗する、請求項１８に記載の装置。
【請求項２０】
前記本体部分が、非対称特徴を含む、前記流体チャネルの中心線の１つまたは複数にほぼ垂直な面を通る断面形状を含むように構成される、請求項１５に記載の装置。
【請求項２１】
前記本体部分が、前記所定の配向において前記雄型コネクタおよび前記雌型コネクタの前記係合を可能にする前記チャネル間に配置可能な位置合わせフランジをさらに含む、請求項１５に記載の装置。
【請求項２２】
体温制御を提供するために、患者の上に配置可能な少なくとも１つの体温制御パッドに相互接続される、および相互接続可能の少なくとも一方であるようにさらに構成される、請求項１５に記載の装置。
【請求項２３】
前記雄型コネクタおよび前記雌型コネクタの相互接続時に、前記雌型コネクタの外表面を囲むＯリングを回転させて、圧縮するように構成される少なくとも１つの内部先細り表面からさらになる、請求項１５に記載の装置。
【請求項２４】
複数の流体チャネルを有して構成され、該チャネルが、少なくとも１つの受取り端部から接続端部まで進行する、本体部分からなり、
前記少なくとも１つの受取り端部が、雄型コネクタを受けて、流体封止され、前記受取り端部における挿入時に、雌型コネクタによる該チャネルのそれぞれの流体封止流れ経路を提供するように構成され、
前記少なくとも１つの受取り端部が、所定の配向においてのみ、該雄型コネクタを受けるようにさらに構成される、患者体温制御システムにおいて使用される雌型中間コネクタ・アセンブリ。
【請求項２５】
前記本体部分が、前記受取り端部における前記雄型コネクタの一部の挿入時に、接続装置によって係合されるように構成される少なくとも１つの係合表面をさらに含む、請求項２４に記載のアセンブリ。
【請求項２６】
前記係合表面は、前記雌型コネクタの中に構成される接続アームの一部を受けるようにサイズ決めされ、かつ、前記本体部分の中に組み込まれる少なくとも１つのレッジとして構成される、請求項２５に記載のアセンブリ。
【請求項２７】
前記受取り端部における挿入時に、前記雄型コネクタで封止され、流れ経路を確立するように構成される前記流体チャネルのそれぞれの内部に配置可能な少なくとも１つのバルブ装置をさらに含み、該バルブ装置が、前記受取り端部から前記雄型コネクタ・アセンブリを取り外す際に、前記受取り端部を封止するようにさらに構成される、請求項２４に記載のアセンブリ。
【請求項２８】
前記少なくとも１つのバルブ装置が、少なくとも１つの圧縮可能ばねと連絡する可動プランジャからなり、前記受取り端部における前記雄型コネクタの挿入時に、該プランジャが移動されて、該ばねが圧縮され、それにより、流体流れの通路が開き、前記雄型コネクタの取外し時には、該圧縮可能ばねが該プランジャを元の位置に移動させ、それにより該通路を流体封止する、請求項２７に記載のアセンブリ。
【請求項２９】
前記係合表面が、雄型コネクタ上の対合リップとかみ合うかみ合いリップとして構成され、前記圧縮可能ばねによって及ぼされる圧力が、係合を維持するように、かみ合い表面の横方向運動を限定する、請求項２７に記載のアセンブリ。
【請求項３０】
前記受取り端部が、前記所定の配向において前記受取り端部における前記雄型コネクタの挿入を可能にするように、前記雄型コネクタの外部断面形状にほぼ等しい内部断面形状を有する空洞を含むようにさらに構成される、請求項２４に記載のアセンブリ。
【請求項３１】
前記内部断面形状が、前記所定の配向における前記雄型コネクタの挿入を可能にする少なくとも１つのほぼ非対称の特徴を含む、請求項３０に記載のアセンブリ。
【請求項３２】
前記本体部分が、複数の前記雄型コネクタと係合および脱係合するように構成されるように、複数の前記受取り端部を含むようにさらに構成される、請求項２４に記載のアセンブリ。
【請求項３３】
前記複数の受取り端部のそれぞれが、前記少なくとも１つの雄型コネクタの係合装置を受けて、かみ合うための前記係合表面の少なくとも１つを有して構成される、請求項３２に記載のアセンブリ。
【請求項３４】
接続端部が、複数の流体チャネルを有する１部品ホース装置に接続されるために使用され、該ホース装置が、この温度制御システムに接続可能なコネクタ装置にさらに接続される、請求項２４に記載のアセンブリ。
【請求項３５】
前記雄型コネクタが、少なくとも１つの患者体温制御パッドに相互接続される、および相互接続可能の少なくとも一方である、請求項２４に記載のアセンブリ。
【請求項３６】
前記受取り内において少なくとも１つの外部先細り表面を囲むＯリングからさらになり、該Ｏリングが、前記雄型コネクタとの液密封止を創出するように、前記雄型コネクタの先細り内表面と該外部先細り表面との間において回転可能および圧縮可能である、請求項２４に記載のアセンブリ。
【発明の詳細な説明】
【技術分野】
【０００１】
本明細書において記述される発明は、患者の体温制御に使用されるシステムおよび方法に関し、より具体的には、加熱／冷却パッドなどの体温制御装置を医療用流体処理装置に相互接続するために使用可能な装置に関する。
【背景技術】
【０００２】
身体組織を選択的に冷却および／または加熱する接触パッド・システムが既知である。そのようなシステムでは、流体（たとえば、水または空気）は、患者との表面熱エネルギー交換に対して表面に影響を与えるように、１つまたは複数のパッドを経て循環される。１つの非常に効果的な接触パッドおよび関連するシステムが、本明細書にて援用する米国特許第６１９７０４５号において開示されている。米国特許第６１９７０４５号において留意されるように、パッドと患者との密接な接触を確立して、維持する能力は、接触パッド・システムの医療効力を完全に実現するために、しばしば非常に重要である。
【０００３】
体温管理または他の規制は、２つの異なる方式で見ることが可能である。体温管理の第１態様は、通常の体温における処置を含む（すなわち、高温の身体を冷却し、またはより低温の身体を温める）。熱規制の第２態様は、ある程度の神経保護を得るために脳卒中の患者を冷却するなど、生理学的利益を提供するために、患者の体温を物理的に制御する技法を使用する発展的処置である。
【発明の開示】
【発明が解決しようとする課題】
【０００４】
以上を考慮すると、接触パッド・システムの認識されている医療用応用分野が、ますます拡大していることを理解することが可能である。例として、冷却パッド・システムは、脳卒中および頭部外傷の患者によって引き起こされる神経損傷を低減するために、初期治療において使用されることが可能である。さらなる応用分野には、心肺バイパス手術など外科手続き中に選択的に患者を加熱／冷却することを含む。
【０００５】
これらおよび他の医療用応用分野が発展しているので、本件の発明者は、熱交換流体システムの適応性および携帯性を改善することが所望されることを認識している。より具体的には、加熱／冷却接触パッド・システムは、多くの応用分野に有効であることが実証されているが、本発明者は、さらに改良されたホースおよびコネクタ装置アセンブリを実施することにより、さらなる性能および潜在的な応用分野を実現し得ることを認識した。
【課題を解決するための手段】
【０００６】
本明細書では、患者体温制御システムにおいて使用されるコネクタ装置が開示され、患者体温システムは、医療用流体を循環させるのに使用可能な医療用流体処理装置を含む。コネクタは、複数の流体チャネルを有して構成される本体部分を含むことが可能である。本体部分は、少なくとも１つの医療用流体処理装置および医療用流体が通って循環することが可能である患者体温制御パッドに相互接続されるかあるいは相互接続可能であるように構成されることが可能である。コネクタの本体部分において、患者体温制御システムにおいて使用可能な少なくとも１つの他のコネクタと相互接続されるように構成される相互接続端部が構成されることが可能である。相互接続端部において、コネクタの相互接続を可能にするように構成される少なくとも１つの配向装置、および所定の方向においてシステムを通る医療用流体の循環を可能にする配向にある少なくとも１つの他のコネクタを含むことが可能である。
【０００７】
本発明の一構成では、コネクタは、雌型コネクタとして構成されることが可能である。雌型コネクタは、それを通るように形成された複数の流体チャネルを有する本体部分を含むことが可能である。本体部分には、流体チャネルへの開口を含む受取り端部を組み込むことが可能であり、受取り端部は、内部に挿入可能な雄型コネクタを受けて、流体封止されるようにさらに構成される。受取り端部において、受取り端部の少なくとも一部を通って延びる回転可能な係合装置を含むことが可能であり、回転可能な係合装置は、雄型コネクタの一部内を通過するように構成され、回転可能な係合装置の回転時に、雄型コネクタと機械的に係合する。
【０００８】
本発明の一構成では、雌型コネクタは、医療用体温制御システムのハウジングの一部として組み込まれることが可能であり、内部に含まれる１つまたは複数の構成要素と連通することが可能である。さらに、受取り端部は、流体チャネルへの開口を内部に配置可能である空洞を囲む壁構造を含むことが可能である。回転可能な係合装置は、少なくとも１つのシャフト状部材を含むことが可能であり、その一部は、壁構造の壁を通って延びる。壁構造の外部には、空洞内のシャフト状部材を１つまたは複数の所望の回転配向まで回転させるように構成される操作アームを配置可能とすることが可能である。本発明の他の構成では、シャフト状部材は、半円の断面形状を含むことが可能であり、シャフト状部材のプロファイルは、第１相対配向においてかなり狭く、第２相対配向においてかなり広い。
【０００９】
コネクタ装置は、複数の流れチャネルが通るように形成される本体部分からなることが可能である雄型機械コネクタ・アセンブリとしてさらに構成されることが可能である。本体部分には、流体チャネルへの開口を含み、雄型コネクタおよび雌型コネクタを通る複数の封止流体経路を確立するように、雌型コネクタの一部内に挿入可能であるように構成される挿入端部を組み込むことが可能である。雄型コネクタにおいて、少なくとも１つの係合部分を含むことが可能であり、これは、雌型コネクタに組み込まれた係合装置を受けるように構成され、係合装置の操作は、雄型コネクタおよび雌型コネクタの機械的接続を可能にする。
【００１０】
雄型機械コネクタの一構成では、係合部分は、回転可能な係合装置を受け入れるように構成されることが可能であり、回転可能な係合装置が係合部分内に配置された後、前記装置の回転は、コネクタの機械的係合を可能にする。具体的には、係合部分は、スロット状構造からなることが可能であり、このスロットにより、回転可能な係合装置の一部が、第１回転配向においてスロット内を通過し、次いで、第２回転配向において雄型コネクタと係合して、保持することが可能になる。この係合部分は、雄型コネクタおよび雌型コネクタが所定の相対配向においてのみ接続可能であるように、雄型コネクタの本体の上に配置されることが可能である。
【００１１】
雄型コネクタの他の構成では、本体部分は、それを通るように形成された複数のチャネルを有する１部品ホース・セクションにさらに接続可能とすることが可能である。１部品ホース・セクションには、システム内において使用可能な他のコネクタに接続されるようにさらに構成される中間コネクタをさらに接続可能とすることが可能である。中間コネクタは、雄型コネクタを含む１つまたは複数のアセンブリと相互接続されるように構成される中間雌型コネクタ装置からなることが可能である。ホース・アセンブリは、患者体温制御パッドに相互接続されるかまたは相互接続可能とすることが可能である。
【００１２】
コネクタは、それを通るように形成された複数の流体チャネルを有する本体部分を含む雌型中間コネクタとしてさらに構成されることが可能であり、本体部分は、１つまたは複数の受取り端部を含む。１つまたは複数の受取り端部は、複数の流体封止流れ経路を提供するように、少なくとも１つの雄型コネクタと接続され、流体封止されるように特別に構成される。中間雌型コネクタは、少なくとも１つの配向装置を含むようにさらに構成されることが可能であり、配向装置は、所定の相対配向において、中間雌型コネクタを雄型コネクタと相互接続することを可能にする。本発明の一構成では、配向装置は、非対称の特徴を組み込むように、中間雌型コネクタの受取り端部の中に延びる部材とすることが可能である。
【００１３】
中間雌型コネクタの本体部分の中に、受取り端部に挿入可能な雄型コネクタの接続装置によって係合されるように構成される係合表面をさらに組み込むことが可能である。係合表面は、レッジおよび／またはかみ合いリップの構造として構成されることが可能である。また、中間雌型コネクタの中に、少なくとも１つのばね装填バルブ装置を組み込むことも可能であり、これは、雄型コネクタの挿入時に、本体部分のチャネルを通る流体流れを提供し、前記雄型コネクタの取外し時に、チャネルを閉じるように構成される。バルブ装置は、少なくとも１つの圧縮ばねと接触している可動プランジャを含むことが可能であり、受取り端部における雄型コネクタの挿入時に、プランジャは移動され、それにより、ばねが圧縮されて、流体流れのチャネルを開く。
【００１４】
プランジャおよびばねの組合わせは、コネクタ間の接続を維持するように、雄型コネクタおよび雌型コネクタの相互接続中にさらに使用可能とすることが可能である。係合表面、具体的には、雄型コネクタ上のかみ合いリップは、挿入後、雌型コネクタ上の係合表面とかみ合うことが可能である。接続を維持するために、ばねは、かみ合いリップ間の接続を維持する雄型コネクタに作用する駆出を及ぼすことが可能である。雌型コネクタの本体部分は、複数の係合表面を含むようにさらに構成されることが可能であり、それにより、雌型コネクタから雄型コネクタを脱係合させるために、挿入力を加えることの他に、雄型コネクタ上の係合装置の同時操作が必要とされる。
【００１５】
コネクタは、そこを通るように形成された複数の流体チャネルを有する本体部分を含む中間雄型コネクタとしてさらに構成されることが可能である。本体部分は、雌型コネクタに挿入可能であり、かつそれと係合するように構成される挿入端部を有してさらに構成される。雄型コネクタは、少なくとも１つの患者体温制御パッドに相互接続されるか、および／または相互接続可能であるようにさらに構成される。
【００１６】
挿入端部の一部として、雄型コネクタが所定の相対配向において雌型コネクタ内に挿入可能であるように構成される少なくとも１つの配向装置がさらに含まれることが可能である。本発明の一構成では、配向装置は、挿入端部の中に構成される非対称の特徴とすることが可能である。より具体的には、配向装置は、流体チャネル間に延びる位置合わせフランジからなる。
【００１７】
雄型中間コネクタは、本体部分の外表面上に配置可能な少なくとも１つの係合装置を含むようにさらに構成可能とすることが可能であり、前記係合装置は、挿入端部が雌型コネクタの受取り端部に挿入されるとき、雌型コネクタの係合表面と係合および脱係合するように操作可能である。係合および脱係合は、片手操作によることが可能である。
【００１８】
本発明の一構成では、係合装置は、本体部分からほぼ垂直に延びる少なくとも１つの湾曲アームを含むことが可能であり、ラッチ・アームが、本体から離れて湾曲アームの端部に配置可能であり、ラッチ・アームは、第１端部の上に構成される押下げ部分および第１端部に対向する第２端部の上に構成される係合部分を含む。湾曲アームは、第１端部に力を加えることにより、第２端部および湾曲アームが、湾曲アームおよび本体の接続点の回りに回転し、力を取り除くことにより、湾曲アームおよびラッチ・アームが元の位置に戻るような方式で、ラッチ・アームに接続可能である。
【００１９】
ラッチ・アームの係合部分は、少なくとも１つのかみ合いリップを有して構成されることが可能であり、それにより、係合部分が雌型コネクタ上の対合かみ合い表面と係合して、力がかみ合いリップを共に維持するために加えられるとき、係合構造は、横方向運動に抵抗し、それにより、コネクタ間の相互接続が維持される。本発明の一構成では、雄型コネクタは、複数の係合装置を含むことが可能である。係合装置は、複数の係合装置の同時操作が、コネクタと係合および／または脱係合するために必要であるようにさらに構成されることが可能である。具体的には、コネクタの脱係合中、係合装置に対して、雄型コネクタの取外し中に、雌型コネクタの係合表面から離れるまで（たとえば、同じ手の親指で）継続して同時に加えることが可能である。
【発明を実施するための最良の形態】
【００２０】
図１において、患者２０の加熱／冷却を提供するために使用可能である体温制御システムの例示的な構成が開示される。例として、患者２０の上に配置可能なパッド１８は、米国特許第６１９７４０５号に記載されるタイプとすることが可能である。システム１０は、パッド１８を通して体温制御流体を循環させるために使用可能である。システム１０は、パッドを経て流体（たとえば、水）を引き出すための循環ポンプ、循環リザーバ、ならびにシステムを通って循環する加熱／冷却流体のための１つまたは複数の熱交換装置を含むことが可能である。また、患者の体温を監視するために使用可能な体温センサ２２を含むことも可能である。
【００２１】
患者体温制御システム１０とパッド１８とを、ホースおよびコネクタ・アセンブリ１４が相互接続する。アセンブリ１４には、１つまたは複数の個々のコネクタ、ならびにシステム１０とパッド１８との間を循環する流体の送達線および戻り線として作用するホース１６の全長が含まれることが可能である。
【００２２】
図２において、システム１０と相互接続されたホースおよびコネクタ・アセンブリ１４の図が開示され、具体的には、患者体温制御システム１０を患者体温制御パッドに接続するために使用されることが可能である様々なコネクタを含む。具体的には、ホース・アセンブリ１４を制御システム１０に接続することを可能にする雌型機械コネクタ１２が示される。コネクタ１２は、システム１０の中に組み込まれることが可能であり、内部に含まれる様々なリザーバおよび熱交換装置と流体連絡されることが可能である。システム・コネクタ１２は、ホースおよびコネクタ・アセンブリ１４の雄型コネクタ部分を受けるための少なくとも１つの受取り端部を含むことが可能である。雄型コネクタとの接続を容易にするために、システム・コネクタは、液密接続を確立するように操作可能である接続装置１０８を含むことが可能である。雌型機械コネクタ１２の詳細は、以下でより詳細に議論される。
【００２３】
ホース・アセンブリ１４は、雌型機械コネクタ内に挿入可能であり、かつ係合されるように構成された雄型機械コネクタ１３を含むことが可能である。コネクタ１３は、１部品ホース装置１５に接続されることが可能であり、１部品ホース装置１５は、雌型中間コネクタ１９にさらに接続される。以下でより詳細に記述されるように、雌型中間コネクタ１９は、任意の数の雄型中間コネクタ３０を受け、かつ係合するように構成された１つまたは複数の受取り端部を含むことが可能である。雄型中間コネクタは、ホース１６を経て患者体温制御パッドにさらに接続可能である。患者体温制御パッドへの接続は、単一長のホースによる、または１つまたは複数の雄型中間コネクタおよび雌型中間コネクタの組合わせを使用して相互接続された様々な長さのホースによることが可能である。
【００２４】
個々のコネクタに関して、図３ａおよびｂにおいて、体温制御システム１０のハウジング内に取付け可能である雌型機械コネクタ１２の斜視図および正面図が開示される。雌型コネクタ１２には、雄型コネクタの挿入端部を受けるように特別に構成された受取り端部１１２が含まれる。具体的には、コネクタ１２の本体１０１から外向きに延びる壁構造１０６が含まれる。壁構造内には空洞１１３があり、この空洞は、ほぼ精密許容差において雄型コネクタの挿入端部にはめ込まれるようにサイズ決めされた断面を含む。受取り端部１１２内には、空洞１１３のフロアの上に延び、液密封止を確立するためにそれぞれが少なくとも１つのガスケット装置１１６を含む流体チャネル１１５および１１７の開口がある。流体チャネル１１５および１１７は、雌型コネクタ１２を通過して、チャネル１０４および１０２をそれぞれ通って出る。体温制御システム１０に装備されたとき、これらのチャネルは、流体が、装置の内部構成要素へ、および装置の内部構成要素から循環することを可能にする。
【００２５】
空洞１１３内において、雄型コネクタの係合部分内を通過して、回転時に、前記雄型コネクタと機械的に係合するように構成される回転係合装置１０８が延びる。回転可能な接続装置の一部として、図２ａに示される本発明の構成では、半円の断面形状を有して構成される係合シャフト１１０が含まれる。半円の使用は例示的であり、他の断面形状を、この目的のために使用可能とすることが可能である。
【００２６】
図３ｂの正面図においてよりよくわかるように、回転可能な係合装置１０８は、空洞１１３の壁部分を通過し、一端において係合シャフトを支持する保持端部１１１をさらに含む。係合シャフトの対向端部には、係合シャフト１１０の回転を提供するように回転可能である回転可能ハンドル１０８がある。ハンドル部分１０８は、壁構造１１０内をも通過する保持端部部分をさらに含む。シャフトのどちらかの端部において、壁を通る穴が、シャフトの回転の担持表面を提供する。
【００２７】
図４ａにおいて、雌型機械コネクタ１２と相互接続するために使用可能な雄型機械コネクタ１３の幾何学的形状の図が開示される。コネクタは、本体部分１２１を含み、それを通って、２つの流体チャネル１３０および１３２が、挿入端部１１９から接続部分１３４および１３６までそれぞれ延びる。本明細書において開示される挿入端部１１９は、楕円および／またはレース・トラック・タイプの形状で構成されるが、当業者であれば、他の形状が使用可能であることを理解するであろう。さらに、図３ａに示す構成では、流体チャネルは、ほぼ９０°の角度に曲がるように構成されるが、当業者であれば、他の構成が可能であることを理解するであろう。
【００２８】
図４ｄのコネクタの断面図からわかるように、内表面流体チャネル１３０および１３２は、先細り断面を有して構成され、それにより、表面が雌型コネクタ１２の流体チャネル１１５および１１７と接触するとき、流体タイプの封止が生成されることが可能である。接続端部１３４および１３６は、体温制御パッドなどの遠隔装置に流体を循環させるために使用可能であるホースにそれぞれ接続されるように構成されることが可能である。この構成は、あらゆる中間コネクタを使用せずに、システム１０と患者体温制御パッドとの間に２つの長さのホースを接続するために特に適用可能である。代替として、コネクタ端部は、本体部分に接続可能な１部品構造と置き換えることが可能であり、この場合、１部品構造は、それを通過する複数の流体チャネルを含む。１部品構造は、中間コネクタにさらに相互接続可能とすることが可能である。この構成は、すべてのその構成要素を含めて、以下でより詳細に議論される。
【００２９】
さらに、雄型コネクタ１３には、雌型コネクタの係合シャフトを受けて、それと機械的に係合するように特別に構成された少なくとも１つの係合部分１２０が組み込まれる。係合部分１２０の図は、図４ｅの雄型コネクタの上面図において見ることが可能である。この構成では、係合部分は、狭く、ほぼ矩形のスロット１２１を含むことがわかり、スロットは、より大きなほぼ円形の領域１２３の中に開く。この構成により、係合シャフトが、第１回転配向においてより小さいスロット１２１内を通過し、次いで、円筒領域１２３内を通過した後、第２回転位置まで回転し、それにより、シャフトの相対幅がスロットより大きくなることが可能になる。この第２配向において、シャフトは、円形領域の内表面の一部と接触し、それにより、雄型コネクタおよび雌型コネクタが機械的に係合する。矩形スロット１２１は、配向装置として作用するように、コネクタにおいてさらに構成されることが可能である。本発明の一構成では、スロットは、他のスロットより、コネクタを通る１つのチャネルにより近く配置される。この非対称性は、雄型機械コネクタおよび雌型機械コネクタが、１つの相対配向においてのみ接続されることを可能にし、したがって、システムを通る流体が適切な方向に流れることを保証するという効果を有する。
【００３０】
雄型機械コネクタおよび雌型機械コネクタの係合および脱係合を示す図が、図５ａおよびｂにおいて提供される。具体的には図５ａからわかるように、これらの構成要素を相互接続する前に、雄型コネクタ・ヘッド１３は、雌型コネクタ・アセンブリの受取り端部１１３と位置合わせされる。具体的には、ヘッド１１３の外面は、受取り端部１１３とほぼ同じ形状であり、それにより、ほぼ精密許容差のはめ込みが達成されることが可能であることがわかる。さらに、回転可能な接続装置は、第１回転位置にあり、それにより、係合シャフトが、係合スロット１２１に対する位置に関して、最小断面にあることがわかる。
【００３１】
構成要素が位置合わせされた後、雄型コネクタ端部は、回転可能シャフトがスロット１２１内を通過するような方式で、受取り端部１１３に挿入されることが可能である。雄型コネクタ・ヘッドの内部チャネルが、雌型コネクタの突出開口と接触して、回転シャフトが、円筒領域１２３内を通過した後、回転可能な係合装置１０８のハンドルは、図４ｂに示す方式で回転されることが可能である。ハンドルのこの運動は、係合スロットの円筒部分内において係合シャフトを回転させるように作用し、それにより、機械的接触が、係合シャフトと円筒部分の内表面との間に生成され、圧縮力が、雄型コネクタと雌型コネクタとの間に加えられ、その結果、両方のコネクタを通る複数の流体封止チャネルが生成される。
【００３２】
再び図２に戻ると、患者体温制御システムの一部として、雄型コネクタ・ヘッド１３は、患者体温制御パッドへ、および患者体温制御パッドから医療用流体を循環させるために使用可能なホース・アセンブリにさらに接続可能とすることが可能である。ホース・アセンブリの一部として、１つまたは複数の中間コネクタ装置を含むことが可能であり、これは、患者体温制御パッドと流体連絡するホースと接続するために使用される。１つまたは複数の中間コネクタ装置は、互いに係合して、医療用流体を循環させるために体温制御システムと体温制御パッドとの間において複数の封止流体経路をさらに提供するように特別に構成される、少なくとも１つの雄型コネクタおよび雌型コネクタからなることが可能である。
【００３３】
雌型中間コネクタ・アセンブリ５０の一構成の幾何学的形状の図が、図６ａにおいて開示される。雌型コネクタ・アセンブリには、ホース端部５４が組み込まれ、これは、複数のホースの接続部分内に圧縮によりはめ込まれるように構成され、複数のホースは、たとえば雄型コネクタ１３にさらに接続可能とすることが可能である。図２に示し、かつ以下でより詳細に記述される代替構成では、接続端部は、内部に形成された複数の流れチャネルを有する１部品ホース構造と置き換えることが可能である。１部品ホース構造は、雄型機械コネクタ１３にさらに接続可能である。
【００３４】
図６ｃの断面図からわかるように、雌型中間コネクタは、ホース端部５４から本体部分５２を通って延びる流体チャネル５１および５３をさらに含む。チャネルは、受取り端部５８を経て出る。受取り端部５８は、雄型コネクタの一部を受けるように成形される本体部分の空洞として構成される。図５ａ〜ｃにおいて開示された中間雌型コネクタは、単一受取り端部を含むように示されるが、雌型中間コネクタの他の構成は、複数の受取り端部を含むことが可能であり、１つの雌型中間コネクタが、複数の雄型中間コネクタに同時に接続可能である。
【００３５】
雌型中間コネクタ・アセンブリ５０について続けると、雌型中間コネクタの本体部分５２内には、雄型コネクタの挿入時に開閉するように操作可能である可動バルブ装置がさらに含まれる。再び図６ｃの断面図に戻ると、バルブ装置の詳細をより良好に見ることが可能である。上述したように、可動バルブ装置は、それを通過する医療用流体の流れを制御するために、チャネル５１および５３のそれぞれにおいて配置可能である。具体的には、バルブ・プランジャ７０が示され、これは、内部にいくつかの開口８４を組み込んでおり、開口８４は、チャネルにおけるプランジャの位置に応じて、コネクタを流れる流体の流れを可能にする。バルブ・プランジャの本体部分を囲んで、ばね７９があり、これは、雄型コネクタ端部が挿入されるとき、ばねストップ７１に対して圧縮可能である。雄型中間コネクタ端部の挿入により、チャネル内においてプランジャの移動が開始され、それにより、プランジャの開口が、医療用流体の循環を可能にする位置に移動される。
【００３６】
各プランジャは、挿入されるとき、雄型コネクタ中間アセンブリのコネクタ端部の内表面と接触するＯリングシール７２をさらに含む。プランジャシール７４は、プランジャ装置と共に移動して、プランジャが移動している、または移動される間でも、流体シールを提供するためにさらに使用可能である。プランジャ装置の対向端部には、雄型コネクタ・アセンブリを取り外す際に、バルブ装置のシールを可能にするバルブシール７５を含むキャップ７３がある。シールは、バルブばねが圧縮解放され、プランジャを受取り端部に向けて後方に移動させるときに行われる。この時点において、バルブシール７５は、シート８４と接触し、それを通るあらゆる流体の流れを遮断する。
【００３７】
再び図６ａに戻ると、本体部分５２の中に、雄型中間コネクタ・アセンブリの係合アーム部分を受け、かつそれと係合するように構成されたいくつかの係合表面６３がさらに組み込まれる。以下でより詳細に記述されるように、係合表面６３は、挿入可能雄型コネクタの係合アームの上に構成された対応するリップとかみ合うリップとして構成される。
【００３８】
図６ｂにおいて提供される図において、本体部分５２の中に組み込まれる配向装置６０の図が開示される。この配向装置は、非対称特徴を受取り端部５８に提供し、受取り端部５８は、特定の配向のみにおいて、雄型中間コネクタ・アセンブリの挿入を可能にする。この特徴の望ましさは、以下でより詳細に記述される。
【００３９】
上述した雌型中間コネクタと相互接続可能であるように構成される雄型中間コネクタ３０の一構成の図が、図７ａ〜ｃにおいて提供される。図７ａにおいて、雄型中間コネクタ３０の幾何学的形状の図が開示される。中間雄型コネクタは、本体部分３６を含み、その内部において、挿入端部３２からホース端部３８まで進行する流体チャネルが形成される。ホース端部３８は、ホース部分の一端の内部に挿入可能であるように構成され、このホース部分は、患者体温制御パッドまたは他のコネクタに相互接続される、および／または相互接続可能である。取外し／挿入アーム４０は、雌型中間コネクタとの雄型中間コネクタの挿入および取外しにおいて使用されるように構成される。
【００４０】
挿入端部３２は、中間雌型コネクタ・アセンブリに挿入可能であるように構成される。具体的には、挿入端部３２は、流体シールを確立するように、挿入時に雌型コネクタの一部内において１つまたは複数のシール装置と接触するように構成されることが可能である。動作中、流れの方向に応じて、流体は、挿入端部３２から妨害されずにホース端部３８まで、およびその反対に進行する。雄型コネクタを通る流体チャネル４５の１つの断面図が、図７ｃの図において詳細に示される。
【００４１】
また、雄型コネクタ・アセンブリ３０の中に、中間雌型コネクタ内における中間雄型コネクタの係合および適切な位置合わせを可能にする１つまたは複数の装置が組み込まれる。雌型コネクタ・アセンブリとの係合のために、本体部分３６から、１つまたは複数の湾曲アーム４８が延びる。湾曲アームは、本体を形成するために使用される材料と同じ、または類似の材料で構成されることが可能であり、湾曲アームは、湾曲アームを本体３６に接続する点の回りに変形するように十分な柔軟性を有する。湾曲アームには、ラッチ・アーム４２がさらに接続され、これは、力が加えられるとき、湾曲アーム４８への接続点の回りに回転可能である。力が取り除かれるとき、湾曲アームの弾力性により、ラッチ・アームは元の位置に戻る。
【００４２】
ラッチ・アーム部分に対向して、接続アーム部分４４がある。接続アーム４４の中に、係合リップ４６が組み込まれ、これは、雌型中間コネクタの係合表面上にある対応するリップとかみ合うように構成される。接続アームおよび雄型中間コネクタ・アセンブリのかみ合いリップ部分は、力がラッチ・アームに加えられて、ラッチ・アームが本体部分３６により近くに移動されるとき、係合アーム部分が、第１端部３２から離れて回転するように構成される。力が解放されるとき、湾曲アーム４８の弾性特性により、接続アームは係合リップと共に元の位置に戻り、それにより、係合リップ４６は、雌型中間コネクタ上の対応する係合表面と接触することが可能である。
【００４３】
雄型中間コネクタおよび雌型中間コネクタの位置合わせに関して、雄型中間コネクタ・アセンブリ３０の中に、配向フランジ５０がさらに組み込まれる。配向フランジ５０は、本体３６の中に組み込まれたチャネル間に延び、雄型中間コネクタ・アセンブリ３０が特定の配向においてのみ雌型中間コネクタ部分に挿入可能であるとすることが可能であるような機能を提供する。本質的に、この配向装置は、非対称特徴を雄型中間コネクタ・アセンブリの挿入可能部分に提供する。
【００４４】
雄型中間コネクタおよび雌型中間コネクタの係合および脱係合は、図７ａ〜ｄの検討によりより良好に理解されることが可能である。具体的には、図７ｂは、雄型コネクタ・アセンブリおよび雌型コネクタ・アセンブリの係合を示し、一方、図８ａは、脱係合状態のコネクタを示す。初めに中間コネクタを係合させるために、雄型中間コネクタおよび雌型中間コネクタをまず位置合わせする。位置合わせ工程の一部として、雄型コネクタ上の配向フランジ５０は、挿入時に配向装置６０と接触しないような方式で配置される。より具体的には、配向装置６０が、雄型中間コネクタ・アセンブリ上において配向レッジ５０と接触する場合、雄型中間コネクタ・アセンブリは、受取り端部の中に挿入可能ではない。反対に、配向装置６０が配向レッジ５０と対向する場合、雄型中間コネクタは、コネクタ端部に挿入可能であり、液密接続が実施されることが可能である。配向装置は、雄型中間コネクタおよび雌型中間コネクタを通る誤ったチャネルが流体接続されないという利点を提供し、システムを通る医療用流体の循環に潜在的に影響を与える。
【００４５】
雌型コネクタに雄型中間コネクタを挿入する前に、力が、たとえば親指および人差し指などを使用して、好ましくは片手で、接続アーム４２に加えられることが可能である。これにより、接続アームが、本体部分、および雌型中間コネクタの外部本体を明らかにするように十分に離れているかみ合いリップ４６を有する係合アーム４４に向けて移動される。
【００４６】
次いで、雄型中間コネクタ端部は、雌型中間コネクタの受取り端部内に挿入されることが可能であり、それにより、挿入端部の挿入の内表面は、バルブ・プランジャ７０の上においてＯリングシール７２と接触し、このＯリングシールは、プランジャを押して、バルブばねを圧縮する。プランジャは、プランジャ本体の開口が雌型コネクタを通る流体の流れを見込む点まで移動される。
【００４７】
雌型コネクタ内における開いたバルブの例が、図８ｄに提供される断面図に示される。図からわかるように、雄型コネクタが挿入されるとき、圧縮されたバルブばね７９およびヘッド８０は、シール８２と共に、バルブ・シート８４から離れるように移動され、それにより、コネクタを通る流体が提供される。図からわかるように、本明細書において記述されるシステムなどの循環システムでは、流体は、異なるチャネルにおいて異なる方向に流れることが可能である。
【００４８】
接続時に雄型コネクタと雌型コネクタとの間に生成される液密シールは、図８ｅおよびｆに提供される断面図から、より良好に理解されることが可能である。図８ｅにおいて、液密シールを確立する直前の接触している雄型コネクタおよび雌型コネクタの断面図が開示される。図からわかるように、雄型コネクタ３０は、バルブ・プランジャ７０の上に取り付けられたＯリングと接触する内部先細り表面７７を含む。バルブ・プランジャ７０は、Ｏリングの反対側と接触する外部先細り表面８１を有する。
【００４９】
雄型中間コネクタ３０が、雌型中間コネクタ５０の中に押される際に、Ｏリング７２は、２つの先細り表面７７と８１との間において回転する。挿入中、Ｏリングは、対合表面に接してスライドするのではなく、回転し、それにより、Ｏリングの磨耗は最小限に抑えられる。さらに、スライドではなく回転することにより、２つのコネクタを係合させるのに必要な力も低減される。Ｏリングと接触している２つの表面が先細りであるので、Ｏリングは、雄型コネクタが雌型中間コネクタの流れチャネルの軸に沿って移動する際に、圧縮される。
【００５０】
図８ｆには、完全に係合された雄型中間コネクタおよび雌型中間コネクタの図が示される。図からわかるように、雄型コネクタの内部先細り表面７７は、バルブ・プランジャの外表面より大きいテーパ角度を有するので、Ｏリングは、ウエッジ形状にスクイーズされる。Ｏリングのグランド領域は、先細りにされ、それにより、コネクタ内の真空の増大により、Ｏリングがグランドのより小さい断面の中に引込まれる。これにより、Ｏリングはさらに圧縮され、Ｏリングと先細り表面との間の接触応力が増大する。その結果、真空の増大により、グランドにおいてＯリングを締め付けることによってシールが改良される。
【００５１】
上述した液密シールは、雄型中間コネクタおよび雌型中間コネクタの機械的係合によって維持される。雄型中間コネクタおよび雌型中間コネクタの機械的係合は、図８ｄをさらに検討することにより、より良好に理解されることが可能である。接続アーム４４の係合部分４６が、雌型コネクタの外面上にある係合領域５６内を通過すると、ラッチ・アームおよび雄型コネクタは、解放されることが可能であり、これにより、係合リップ４６が、係合領域５６と接触するように回動される。雄型コネクタの解放は、圧縮されたバルブばねの圧縮解放が開始され、それにより、係合リップ４６が係合表面６３の中に移動され、それにより、２つの表面がかみ合うというさらなる効果を有する。バルブばねによって加えられる圧縮力は、２つの表面を接触した状態に保ち、表面の相対的な斜め方向は、雌型コネクタ本体に対する係合アームの横方向運動に抵抗するものとなり、したがって、雌型コネクタと雄型コネクタとの間の係合を維持する。
【００５２】
雌型中間コネクタから雄型中間コネクタを脱係合させるために、挿入力が雄型中間コネクタに加えられ、バルブ・プランジャをさらに移動させ、バルブばねをさらに圧縮する。雄型中間コネクタのさらなる運動は、係合装置および係合表面を互いに離して移動させるように作用する。次いで、力が、ラッチ・アームを雄型中間コネクタの本体に向けて移動させるように、ラッチ・アームのすべてに同時に加えられる（たとえば、親指および人差し指を使用して）。これらの力を加えることは、係合アーム４４を雌型中間コネクタの本体部分から離して移動させるように作用し、それによりラッチ・アームに対する力が維持され、挿入力を反転させて、雄型中間コネクタを取り外すことが可能である。本明細書において記述される本発明の構成では、力をすべてのラッチ・アームに同時に加えることが、雄型中間コネクタの取外しを実施するために必要であることに留意されたい。１つの係合アームが移動しない場合、移動しないアーム上のかみ合いリップは、係合表面上の対応するかみ合いリップと接触し、したがって、雄型コネクタの取外しを妨害する。この同時運動の必要性は、雄型中間コネクタおよび雌型中間コネクタの不注意な脱接続を回避するように作用する安全機能である。
【００５３】
上記で議論したように、雄型機械コネクタ１３は、コネクタ・アセンブリの一部として含まれることが可能である。このコネクタ・アセンブリは、雄型機械コネクタ１３、中間１部品ホース・セクション、ならびに中間雌型コネクタ・アセンブリを含むことが可能である。本発明の一構成では、コネクタは、いくつかの異なる部品で構成されることが可能であり、かつ機能を損なわずに解体し得ないような方式で製造されることが可能であるという点で、一体式部品とすることが可能である。図９ａ〜ｆにおいて、このコネクタ・アセンブリの様々な図が開示される。
【００５４】
図９ａにおいて、雌型コネクタ・アセンブリ１５０に接続される１部品ホース・セクション１４０に接続された雄型機械コネクタ・ヘッド１３９を含むコネクタの幾何学的形状の図が開示される。図９ｂおよび図９ｅの断面図からわかるように、ホース・セクション１４０の中には、流体チャネル１４０および１４２が組み込まれる。チャネルは、雄型機械コネクタおよび雌型中間コネクタ・アセンブリ部分を通るチャネルと連通する。ホース・セクション１４０は、任意の数の硬質プラスチック、ゴム、または十分な剛性の複合材料で形成されることが可能である。
【００５５】
図９に示す構成では、雌型機械コネクタ・アセンブリは、２つの雄型中間コネクタ・アセンブリの最大限と相互接続されるように構成される。図９ｄからわかるように、雌型コネクタ・アセンブリ１５０の底部の中に、２つの受取り端部１７１および１７３が構成され、各端部は、内部に組み込まれた流体チャネルへの開口１７０および１７２を含む。断面図からわかるように、チャネルのそれぞれは、中間雌型コネクタについて上記で記述したのと同じ方式で動作するバルブ・アセンブリを含む。図９ｅの断面図において示すような、流体を同じ方向に循環させるチャネルでは、チャネルは、共通マニホルド１６６とさらに連絡し、共通マニホルド１６６は、ホース・セクション１４０のチャネル、この図ではチャネル１４２とさらに連通する。各受取り端部１７１および１７３は、雄型コネクタに組み込まれた係合装置と係合し、かみ合うように構成された１組の係合表面１５２を含むことがさらにわかる。
【００５６】
雄型コネクタ・アセンブリの他の構成が、図１０において開示される。この構成では、コネクタ・アセンブリ２００は、最大で５つの中間雄型コネクタと同時に相互接続される受取り端部２０４〜２１２を有する雌型コネクタ部分２０２を含む。雄型機械コネクタ・アセンブリ、具体的には中間雌型コネクタの構成は、例示的であり、当業者なら、雌型中間コネクタ部分は、任意の数の雄型中間コネクタと相互接続されるように、任意の数の受取り端部を有して構成し得ることを認識するであろう。この構成では、受取り端部は、システム全体の人間工学的設計を容易にするように、中間雌型コネクタの任意の数の表面に組み込まれることが可能であることがさらにわかる。
【００５７】
本発明の以上の記述は、例示および記述のために呈示された。さらに、記述は、本明細書において開示される形態に本発明を限定することを意図していない。したがって、上記の教示に相応の変更および修正、ならびに関係する技術の技能または知識が、本発明の範囲内にある。上述された実施形態は、本発明を実施するために既知の最適モードを説明し、他の当業者が、そのようなまたは他の実施形態において、および本発明の特定の適用または使用によって必要とされる様々な修正と共に、本発明を使用することを可能にすることさらに意図する。接続の請求項は、従来の技術によって可能とされる程度まで、代替実施形態を含むように解釈されることを意図する。
【図面の簡単な説明】
【００５８】
【図１】本発明が共に使用されることが可能である患者体温制御システムの図。
【図２】ホースおよびコネクタ・アセンブリの一構成の図。
【図３ａ】雌型機械コネクタの図。
【図３ｂ】雌型機械コネクタの図。
【図４ａ】雄型機械コネクタの図。
【図４ｂ】雄型機械コネクタの図。
【図４ｃ】雄型機械コネクタの図。
【図４ｄ】雄型機械コネクタの図。
【図４ｅ】雄型機械コネクタの図。
【図５ａ】動作時の雄型機械コネクタおよび雌型機械コネクタの幾何学的形状の図。
【図５ｂ】動作時の雄型機械コネクタおよび雌型機械コネクタの幾何学的形状の図。
【図６ａ】雌型中間コネクタの一構成の図。
【図６ｂ】雌型中間コネクタの一構成の図。
【図６ｃ】雌型中間コネクタの一構成の図。
【図７ａ】雄型中間コネクタの図。
【図７ｂ】雄型中間コネクタの図。
【図７ｃ】雄型中間コネクタの図。
【図８ａ】動作時の雄型中間コネクタおよび雌型中間コネクタの図。
【図８ｂ】動作時の雄型中間コネクタおよび雌型中間コネクタの図。
【図８ｃ】動作時の雄型中間コネクタおよび雌型中間コネクタの図。
【図８ｄ】動作時の雄型中間コネクタおよび雌型中間コネクタの図。
【図８ｅ】動作時の雄型中間コネクタおよび雌型中間コネクタの図。
【図８ｆ】動作時の雄型中間コネクタおよび雌型中間コネクタの図。
【図９ａ】雄型コネクタ・アセンブリの一構成の図。
【図９ｂ】雄型コネクタ・アセンブリの一構成の図。
【図９ｃ】雄型コネクタ・アセンブリの一構成の図。
【図９ｄ】雄型コネクタ・アセンブリの一構成の図。
【図９ｅ】雄型コネクタ・アセンブリの一構成の図。
【図９ｆ】雄型コネクタ・アセンブリの一構成の図。
【図１０】機械雄型コネクタ・アセンブリの他の構成の幾何学的形状の図。
【図１】
2005535386.tif 000003
【図２】
2005535386.tif 000004
2005535386.tif 000005
2005535386.tif 000006
2005535386.tif 000007
2005535386.tif 000008
2005535386.tif 000009
2005535386.tif 000010
2005535386.tif 000011
2005535386.tif 000012
2005535386.tif 000013
2005535386.tif 000014
2005535386.tif 000015
2005535386.tif 000016
2005535386.tif 000017
2005535386.tif 000018
2005535386.tif 000019
【図１０】
2005535386.tif 000020
【国際調査報告】
2005535386.tif 000021